(57)【要約】【課題】破棄物を減少させることができる照明器具を提供する。【解決手段】照明器具１０は、ランプ２２を収容する器具本体２０に取り付けられて放射状に拡がる複数個の取付ばね２４により取付孔１２に取り付けられる。取付ばね２４は、照明器具１０を取付孔に取り付ける前においては、弾性ベルト部材２６により束ねられて、保管や搬送等が行われる。そして、照明器具１０を取り付ける際には、弾性ベルト部材２６を取付ばね２４から外して、器具本体２０と天井１１との間に取り付けて、気密を保持することができる。これにより、取付ばね２４を束ねていたワンタッチバンド２６を，使用後に気密パッキンとして使用することができるので、破棄物を減少させることができる。【選択図】図１
2013143236.tif 000002
【特許請求の範囲】
【請求項１】
光源を収容する器具本体と、
前記器具本体に取り付けられて前記器具本体を取付孔に固定するために放射状に拡がる複数個の取付ばねと、
器具取付前に前記取付ばねの先端をまとめる弾性ベルト部材と、を有し、
前記弾性ベルト部材が、器具取付後には前記器具本体と前記取付孔との間の気密を図る気密パッキンとして使用可能である照明器具。
【発明の詳細な説明】
【技術分野】
【０００１】
本発明は、天井等の取付孔に取付ばねで取り付けて照明する照明器具に関するものである。
【背景技術】
【０００２】
従来より、例えば天井に設けられている取付孔に取付ばねで取り付けて、下方等を照明する照明器具が知られている（例えば、特許文献１参照）。
図３に示すように、このような照明器具１００においては、光源１０１を収容する器具本体１０２に、複数個の取付ばね１０３が外向きに放射状に設けられている。取付ばね１０３は、拡がる方向（図３において矢印Ａ参照）に付勢されており、上方へ弾性変形可能となっている。また、照明器具１００の下端には、被取付部である天井１０４に設けられている取付孔１０５の内径よりも大きな外径を有する円環形状の鍔部１０６が設けられている。
【０００３】
従って、照明器具１００は、天井１０４の取付孔１０５に挿入された後に、天井１０４の下面に当接する鍔部１０６と取付ばね１０３との協働により、天井１０４の取付孔１０５に固定される。
なお、取付後に、取付孔１０５を完全に塞いで埃等の侵入を防止するために、鍔部１０６の上面に、気密パッキン１０７が設けられている。
【０００４】
このような取付ばね１０３を有する照明器具１００では、取付ばね１０３が拡がった状態では、取付前の保管時や搬送時に大きな収容スペースを必要とする。
このため、図４に示すように、取付ばね１０３を上方へ弾性変形させて、例えばゴム製のワンタッチバンド１０８で束ねて省スペース化を図っている。
【先行技術文献】
【特許文献】
【０００５】
【特許文献１】実開昭５６−１７５３８１号公報（第２図）
【発明の概要】
【発明が解決しようとする課題】
【０００６】
しかしながら、前述したような照明器具１００においては、取付時には取付ばね１０３を束ねたワンタッチバンド１０８を取り外して廃棄しており、廃棄物を発生させるという問題があった。
【０００７】
本発明は、従来の問題を解決するためになされたもので、破棄物を減少させることができる照明器具を提供することを目的とする。
【課題を解決するための手段】
【０００８】
本発明の照明器具は、光源を収容する器具本体と、前記器具本体に取り付けられて前記器具本体を取付孔に固定するために放射状に拡がる複数個の取付ばねと、器具取付前に前記取付ばねの先端をまとめる弾性ベルト部材と、を有し、前記弾性ベルト部材が、器具取付後には前記器具本体と前記取付孔との間の気密を図る気密パッキンとして使用可能であるものである。
【発明の効果】
【０００９】
本発明は、照明器具を取り付ける際に、取付ばねを束ねている弾性ベルト部材を外し、外した弾性ベルト部材を器具本体と天井との間に取り付けて気密パッキンとして使用することができるので、破棄物を減少させることができるという効果を有する照明器具を提供できる。
【図面の簡単な説明】
【００１０】
【図１】本発明に係る実施形態の照明器具を天井に取り付けた状態を示す断面図
【図２】本発明に係る実施形態の照明器具の取付ばねを束ねた状態を示す断面図
【図３】従来の照明器具を天井に取り付けた状態を示す断面図
【図４】従来の照明器具の取付ばねを束ねた状態を示す断面図
【発明を実施するための形態】
【００１１】
以下、本発明に係る実施形態の照明器具について、図面を用いて説明する。
図１に示すように、本発明に係る実施形態の照明器具１０は、被取付部である例えば天井１１に設けられている取付孔１２に取り付けて、下方等を照明するダウンライトとして用いることができる。
【００１２】
この照明器具１０は、略円筒形状の器具本体２０を有しており、器具本体２０の照射方向（以後、下方という。）側には、下方に開口する枠体２１を有する。
枠体２１には光源であるランプ２２が収容されており、枠体２１の内部には、ランプ２２の光を所定の方向（ここでは、主に下方）に反射する反射板２３を有する。また、枠体２１の外周面には、周方向に所定の間隔で、放射状に拡がる複数個の取付ばね２４が設けられている。
【００１３】
取付ばね２４は、常時下方（図１中矢印Ａ参照）に付勢されており、上方へ弾性変形が可能となっている。
枠体２１の下端部には、取付孔１２の内径よりも大きな外径を有する円環板状の鍔部２５が取り付けられており、照明器具１０を取付孔１２に取り付けた状態で、天井１１の下面に当接して露出する。
従って、照明器具１０は、取付ばね２４と鍔部２５との間に天井１１を挟持することにより、取付孔１２に取り付けられる。
【００１４】
図２に示すように、照明器具１０は、保管時および搬送時には、取付ばね２４を上方へ弾性変形させて、弾性ベルト部材である例えばゴム製のワンタッチバンド２６により束ねている。従って、取付ばね２４の先端は、ワンタッチバンド２６が脱落しないように、下方に向かって折曲げて，係止部２４１を設けるのが望ましい。
これにより、照明器具１０の収容のための空間を縮小しており、保管および搬送時にコンパクト化を図っている。
【００１５】
図１に示すように、ワンタッチバンド２６は、照明器具１０を取付孔１２に取り付ける際に、取付ばね２４から外されて、鍔部２５の上側に気密パッキンとして取り付けられる。すなわち、ワンタッチバンド２６は、鍔部２５の上面と天井１１の下面との間で全周にわたって密着するように、ある程度の厚みが必要となる。
このため、例えば、図１に示すように、鍔部２５上面と天井１１の下面との隙間間隔よりも大きな外径を有する円形断面のゴムバンドを用いることができる。あるいは，隙間間隔よりも厚い矩形断面とすることもできる。
【００１６】
なお、ワンタッチバンド２６は、外力が作用しない状態で、取付孔１２の内径よりも大きな半径を有する円形状であることが必要である。そして、取付ばね２４の付勢力により伸張した状態で、図２に示すように、取付ばね２４を束ねるようにする。
また、鍔部２５の上面で取付孔１２よりも外側位置に、ワンタッチバンド２６を係止するリブ２５１を、全周にわたって設けることもできる。この場合には、ワンタッチバンド２６が少し伸張した状態でリブ２５１に取り付けることができるので、照明器具１０の取付の際に脱落するのを防止でき、作業性が向上する。
【００１７】
以上、説明した本発明に係る実施形態の照明器具１０によれば、照明器具１０は、ランプ２２を収容する器具本体２０に取り付けられて放射状に拡がる複数個の取付ばね２４により取付孔１２に取り付けられる。取付ばね２４は、照明器具１０を取付孔１２に取り付ける前においては、ワンタッチバンド２６により束ねられて、保管時や搬送時等における収容スペースを縮小している。
そして、照明器具１０を取付孔１２に取り付ける際には、ワンタッチバンド２６を取付ばね２４から外して、器具本体２０と天井１１との間に取り付けて、気密を保持することができる。これにより、取付ばね２４を束ねていたワンタッチバンド２６を，使用後に気密パッキンとして使用することができるので、破棄物を減少させることができる。
【００１８】
なお、本発明の照明器具は、前述した実施形態に限定されるものでなく、適宜な変形，改良等が可能である。
【符号の説明】
【００１９】
１０  照明器具
１２  取付孔
２０  器具本体
２２  ランプ（光源）
２４  取付ばね
２６  ワンタッチバンド（弾性ベルト部材）
【図１】
2013143236.tif 000003
【図２】
2013143236.tif 000004
【図３】
2013143236.tif 000005
【図４】
2013143236.tif 000006